(57)【要約】【課題】タイトフレームに対して吊子の角度を調整して固定することができる折板屋根用取付具を提供する。【解決手段】吊子１と、この吊子１を取り付けるタイトフレームとを備え、吊子１は、挿通孔２５を設けた底部２１と、底部２１の側縁に設けた立ち上り部２２と、立ち上り部２２の頂部に設けられたハゼ部２３とを備え、タイトフレームの山部の頂部に横方向の吊子支持部を設け、この吊子支持部に挿通孔２５に挿通する雄螺子棒１７を突設し、雄螺子棒１７を挿通孔２５に挿通した状態で雄螺子棒１７にナット１８を螺合することにより吊子支持部に吊子１が固定される。底部２１に吊子１の幅方向に湾曲した吊子側湾曲状部２４を形成すると共に、挿通孔２５を吊子１の幅方向に長く形成してタイトフレームに吊子１を角度調整した状態で固定可能に構成した。【選択図】図２
0003214851.tif 000002
【実用新案登録請求の範囲】
【請求項１】
吊子と、この吊子を取り付けるタイトフレームとを備え、
前記吊子は、挿通孔を設けた底部と、前記底部の側縁に設けた立ち上り部と、前記立ち上り部の頂部に設けられ互いに隣接する折板屋根材の下ハゼ部と上ハゼ部との間に挟み込まれるハゼ部とを備え、
前記タイトフレームの山部の頂部に横方向の吊子支持部を設け、この吊子支持部に前記挿通孔に挿通する雄螺子棒を突設し、前記雄螺子棒を前記挿通孔に挿通した状態で前記雄螺子棒にナットを螺合することにより前記吊子支持部に前記吊子が固定される折板屋根用取付具において、
前記底部に前記吊子の幅方向に湾曲した吊子側湾曲状部を形成すると共に、前記挿通孔を前記吊子の幅方向に長く形成して前記タイトフレームに前記吊子を角度調整した状態で固定可能に構成したことを特徴とする折板屋根用取付具。
【請求項２】
前記吊子支持部に、前記吊子側湾曲状部の湾曲方向に対応して湾曲したタイトフレーム側湾曲状部を形成したことを特徴とする請求項１記載の折板屋根用取付具。
【請求項３】
前記吊子側湾曲状部及び前記タイトフレーム側湾曲状部は、前記吊子の幅方向中央側が凹んでいることを特徴とする請求項２記載の折板屋根用取付具。
【請求項４】
前記底部に重ねる吊子用補強部材を前記吊子と別体で備え、
前記吊子用補強部材は、前記底部上に重ね合わせる補強側底板部と、
前記補強側底板部に設けられ、前記挿通孔に連通して前記雄螺子棒を挿通する補強側挿通孔と、
前記立ち上り部に沿って立設する補強部とを一体に備え、
前記補強側底板部は前記吊子側湾曲状部の湾曲方向に対応して湾曲し、前記補強部と前記補強側底板部とに連続して前記吊子用補強部材の幅方向両側にリブ部を設け、これら両側のリブ部の間隔は前記ナットの外径より大きいことを特徴とする請求項２記載の折板屋根用取付具。
【請求項５】
前記底部の前記立ち上り部と反対側の縁部に、該立ち上り部と平行な立ち上り縁部を設け、それら立ち上り部と立ち上り縁部の間に、前記吊子用補強部材が吊子の幅方向と交差方向に位置決め状態で遊嵌されることを特徴とする請求項４記載の折板屋根用取付具。
【考案の詳細な説明】
【技術分野】
【０００１】
本考案は、折板屋根を葺く場合においてタイトフレームの頂部に吊子を取り付ける折板屋根用取付具に関する。
【背景技術】
【０００２】
従来、この種の吊子として、吊子の底壁をタイトフレームの段部の頂部に重ねた状態で、タイトフレームの頂部に突設したボルトにナットを螺合することにより、吊子をタイトフレームに取り付ける取付具が有る（例えば特許文献１）。
【０００３】
ところで、垂直な前記タイトフレームに対して、前記吊子のハゼ部が水平に設けられているため、屋根の下地材の上面が屋根の勾配に沿って設けられていない場合、上記特許文献１の吊子では、そのハゼ部を屋根の勾配に合わせるために、下地材とタイトフレームとの間にスペーサを配置してタイトフレーム自体を斜めに取り付ける必要があり、タイトフレームの取付作業が煩雑になるという問題がある。
【先行技術文献】
【特許文献】
【０００４】
【特許文献１】特開２０１０−２６５６８２号公報
【考案の開示】
【考案が解決しようとする課題】
【０００５】
そこで、本考案は、上記問題点を解決するものであり、タイトフレームに対して吊子の角度を調整して固定することができる折板屋根用取付具を提供することを目的とする。
【課題を解決するための手段】
【０００６】
請求項１の考案は、吊子と、この吊子を取り付けるタイトフレームとを備え、前記吊子は、挿通孔を設けた底部と、前記底部の側縁に設けた立ち上り部と、前記立ち上り部の頂部に設けられ互いに隣接する折板屋根材の下ハゼ部と上ハゼ部との間に挟み込まれるハゼ部とを備え、前記タイトフレームの山部の頂部に横方向の吊子支持部を設け、この吊子支持部に前記挿通孔に挿通する雄螺子棒を突設し、前記雄螺子棒を前記挿通孔に挿通した状態で前記雄螺子棒にナットを螺合することにより前記吊子支持部に前記吊子が固定される折板屋根用取付具において、前記底部に前記吊子の幅方向に湾曲した吊子側湾曲状部を形成すると共に、前記挿通孔を前記吊子の幅方向に長く形成して前記タイトフレームに前記吊子を角度調整した状態で固定可能に構成したことを特徴とする。
【０００７】
請求項２の考案は、前記吊子支持部に、前記吊子側湾曲状部の湾曲方向に対応して湾曲したタイトフレーム側湾曲状部を形成したことを特徴とする。
【０００８】
請求項３の考案は、前記吊子側湾曲状部及び前記タイトフレーム側湾曲状部は、前記吊子の幅方向中央側が凹んでいることを特徴とする。
【０００９】
請求項４の考案は、前記底部に重ねる吊子用補強部材を前記吊子と別体で備え、前記吊子用補強部材は、前記底部上に重ね合わせる補強側底板部と、前記補強側底板部に設けられ、前記挿通孔に連通して前記雄螺子棒を挿通する補強側挿通孔と、前記立ち上り部に沿って立設する補強部とを一体に備え、前記補強側底板部は前記吊子側湾曲状部の湾曲方向に対応して湾曲し、前記補強部と前記補強側底板部とに連続して前記吊子用補強部材の幅方向両側にリブ部を設け、これら両側のリブ部の間隔は前記ナットの外径より大きいことを特徴とする。
【００１０】
請求項５の考案は、前記底部の前記立ち上り部と反対側の縁部に、該立ち上り部と平行な立ち上り縁部を設け、それら立ち上り部と立ち上り縁部の間に、前記吊子用補強部材が吊子の幅方向と交差方向に位置決め状態で遊嵌されることを特徴とする。
【考案の効果】
【００１１】
請求項１の構成によれば、底部が吊子の幅方向に湾曲し、挿通孔が吊子の幅方向に長く形成されているため、雄螺子棒を挿入した状態で、挿通孔の範囲で吊子を幅方向に動かすことにより、タイトフレームに対する吊子の角度を調整することができ、調整した角度でナットを雄螺子棒に螺合して固定することができる。
【００１２】
請求項２の構成によれば、タイトフレーム側湾曲状部も吊子側湾曲状部と同一方向に湾曲しているため、湾曲状部同士の接触面積が大きくなり、安定した固定状態が得られる。
【００１３】
請求項３の構成によれば、両湾曲状部は中央側が凹んだ湾曲状をなすため、逆の場合に比べて、ナットによる締付力を保持できる。即ち、中央側が凸の湾曲状では、ナット下面の中央側のみが補強側底板部の上面に接するのに対して、中央側が凹んだ湾曲状では、ナット下面の前記湾曲方向外側が補強側底板部の上面に接するため締付力を良好に保持できる。
【００１４】
請求項４の構成によれば、吊子の底部と立ち上り部との連結箇所を、吊子用補強部材により効果的に補強することができる。また、リブ部を設けた吊子用補強部材が吊子と別体であるから、吊子の角度を変えても、ナットの下部がリブ部に当たることなく、リブ部間においてナットを雄螺子棒に螺合することができる。
【００１５】
即ち、補強部材を吊子に一体に設け、補強部材に吊子の幅方向に長い挿通孔を形成すると、補強部材が吊子の幅方向に長くなり、さらに、吊子の角度を変えると、一方のリブ部が雄螺子棒に近付くから、ナットがリブ部に当たらないようにするには、不必要に補強部材を吊子の幅方向に長くする必要がある。
【００１６】
請求項５の構成によれば、立ち上り縁部により吊子の底部を補強することができると共に、雄螺子棒を挿通した状態で、吊子を動かして角度を調整する際、吊子用補強部材が立ち上り部と立ち上り縁部との間に位置決めされ、吊子用補強部材が位置ずれすることがなく、作業が容易となる。
【図面の簡単な説明】
【００１７】
【図１】本考案の実施例１を示す折板屋根用取付具の斜視図である。
【図２】同上、要部の分解斜視図である。
【図３】同上、一部を切り欠いたタイトフレームの斜視図である。
【図４】同上、要部の断面図である。
【図５】同上、要部の平面図である。
【図６】同上、折板屋根構造の断面図である。
【図７】同上、折板屋根材の要部の断面図であり、図７（Ａ）は下ハゼ部側、図７（Ｂ）は上ハゼ部側を示す。
【図８】本発明の実施例２を示す要部の断面図である。
【図９】本発明の実施例３を示す要部の斜視図である。
【考案を実施するための形態】
【００１８】
本考案における好適な実施の形態について、添付図面を参照しながら詳細に説明する。
【実施例１】
【００１９】
以下、本考案の実施例を添付図面を参照して説明する。図１〜図７は本考案の実施例１を示す。同図に示すように、金属製の吊子１は金属製のタイトフレーム２に固定され、このタイトフレーム２はＨ形鋼材などからなる屋根下地材３に溶接やボルト・ナット等の固着手段により固着されている。前記タイトフレーム２は長さ方向一側及び他側の水平固定部１１，１１と、該水平固定部１１，１１からハ字状をなすように立ち上った一側及び他側傾斜部１２，１３と、この一側傾斜部１２の上端から水平方向（横方向）に伸長する吊子支持部１４と、この吊子支持部１４の他端から上方に伸長する段差部１５と、この段差部１５の上端から横方向に伸長し、前記他側傾斜部１３の上端に続く他側の折板受部１６とからなる。尚、タイトフレーム２の長さ方向は折板屋根材４の幅方向であり、この幅方向に交差する方向が折板屋根材４の長さ方向である。そして、水平固定部１１を除いた部分がタイトフレーム２の山部であり、前記吊子支持部１４は山部の頂部に位置する。
【００２０】
前記吊子支持部１４には、吊子１を固定するための雄螺子棒１７が突設され、この雄螺子棒１７は雄螺子部１７Ａを有する。また、前記ナット１８は座金部１９を一体に備え、この座金部１９の下面には緩み止め防止用の凹凸部（図示せず）が複数形成されている。尚、この場合、ナット１８の外径は座金部１９の外径である。
【００２１】
前記吊子１は、板材を屈曲形成してなり、前記タイトフレーム２の吊子支持部１４に重ね合わせる底部２１と、この底部２１の他側の側縁から前記タイトフレーム２の段差部１５に対向して立ち上る立ち上り部２２と、この立ち上り部２２の上端側に、水平方向に折り曲げると共に、先端を下側に折り曲げたハゼ部２３とが一体形成され、このハゼ部２３が折板屋根材４の下ハゼ部４５と上ハゼ部４９に挟み込まれる。前記立ち上り部２２は下方から上方に向かって拡大形成されている。前記吊子１の幅方向は屋根材４の幅方向である。
【００２２】
この例では、前記底部２１は、吊子１の幅方向において中央が凹むように湾曲状に形成されて該底部２１により吊子側湾曲状部２４が構成されている。また、前記吊子側湾曲状部２４には、吊子１の幅方向に長い挿通孔２５が穿設されている。また、前記底部２１の一側の側縁から上方に立ち上る立ち上り縁部２６が形成され、この立ち上り縁部２６と前記立ち上り部２２とは略平行をなす。尚、吊子１の幅方向は屋根材４の長さ方向である。
【００２３】
前記タイトフレーム２には、前記水平固定部１１を除いて、凹部２０が連続形成され、この凹部２０はタイトフレーム２の幅方向中央を上面側からプレス加工することにより断面湾曲状に形成してなる。
【００２４】
前記タイトフレーム２の吊子支持部１４には、前記凹部２０を形成した後に更に中央が平面視で円形に凹んだ円形凹部１４Ａが形成され、前記凹部２０と前記円形凹部１４Ａにより吊子支持部１４の上面には、その吊子１の幅方向の中央側が凹んで湾曲状に形成されたタイトフレーム側湾曲状部２８が形成されている。
【００２５】
尚、前記円形凹部１４Ａの中央には透孔１４Ｂが穿設され、この透孔１４Ｂに下方から前記雄螺子棒１７が挿入され、その雄螺子棒１７の下端の径大頭部１７Ｂが前記円形凹部１４Ａの下面に溶接などにより固定されている。
【００２６】
前記吊子１には、別体の吊子用補強部材（以下、補強部材という）３１が重ね合わせて用いられる。この補強部材３１は、前記底部２１に重ね合わせる補強側底板部３２と、前記立ち上り部２２に沿って立設する補強部３３とを一体に備え、前記補強側底板部３２は、前記底部２１と略同一形状で、前記立ち上り部２２と立ち上り縁部２６との間に遊嵌する。この場合、補強側底板部３２が吊子１の幅方向に移動可能な程度に遊びを持たせて前記立ち上り部２２と立ち上り縁部２６との間に嵌め入れている。また、前記補強側底板部３２には、吊子１の前後方向に長い補強側挿通孔３４が穿設され、この補強側挿通孔３４と前記挿通孔２５とが連通し、この補強側挿通孔３４は吊子１の幅方向と交差する方向に長く形成された長孔である。
【００２７】
前記補強部材３１の左右には、リブ部３５，３５が形成され、このリブ部３５は、補強部３３の上端から補強側底板部３２の一側まで連続して形成され、補強部材３１を内面側からプレス加工することにより断面湾曲状の凸部を形成してなる。
【００２８】
折板屋根材４は、平面部４１の他端側を斜上方に折曲して他側傾斜部４２とし、この他側傾斜部４２の先端側を略横方向に伸長させて他側上面部４３とし、この他側上面部４３の先端側を垂直に折曲げて他側起立部４４とし、この他側起立部４４の上端を他側に水平に折曲げると共に先端を上側に折り返して下ハゼ部４５を形成し、この下ハゼ部４５が前記吊子１のハゼ部２３の内側に嵌合する。
【００２９】
また、折板屋根材４は、平面部４１の一端側を斜上方に折曲して一側傾斜部４６とし、この一側傾斜部４６の先端側を略横方向に伸長させて一側上面部４７とし、この一側上面部４７の先端側を垂直に折曲げて一側起立部４８とし、この一側起立部４８の上端側を水平に折曲げると共に、先端を下方に折り曲げて上ハゼ部４９を形成し、この上ハゼ部４９が前記吊子１のハゼ部２３の外側に外嵌する。
【００３０】
上ハゼ部４９は、下ハゼ部４５よりも一回り程度（下ハゼ部４５の周囲を取り囲むことができる程度）大きく形成されている。また、下ハゼ部４５及び上ハゼ部４９は、角ハゼや丸ハゼなどの任意の形状にすることができる。
【００３１】
そして、屋根下地材３にタイトフレーム２を固定し、このタイトフレーム２の吊子支持部１４に吊子１の底部２１を重ねると共に、この底部２１に補強部材３１を重ね、且つ、挿通孔２５，３４に雄螺子棒１７を挿通し、この雄螺子棒１７にナット１８を螺合して吊子１により固定する。この際、例えば屋根下地材３の取付面が水平で、折板屋根に勾配が有るなどの場合、ナット１８を締める前に、長孔である挿通孔２５の範囲で吊子１の角度を調整することができ、屋根の勾配に合わせて角度を調整した状態でナット１８を締めて吊子１を固定することができる。そして、吊子１の角度を調整する際、補強部材３１は立ち上り部２２と立ち上り縁部２６の間で位置決めされているため、ずれることがない。
【００３２】
このように本実施例では、請求項１に対応して、吊子１と、この吊子１を取り付けるタイトフレーム２とを備え、吊子１は、挿通孔２５を設けた底部２１と、底部２１の側縁に設けた立ち上り部２２と、立ち上り部２２の頂部に設けられ互いに隣接する折板屋根材４，４の下ハゼ部４５と上ハゼ部４９との間に挟み込まれるハゼ部２３とを備え、タイトフレーム２の山部の頂部に横方向の吊子支持部１４を設け、この吊子支持部１４に挿通孔２５に挿通する雄螺子棒１７を突設し、雄螺子棒１７を挿通孔２５に挿通した状態で雄螺子棒１７にナット１８を螺合することにより吊子支持部１４に吊子１が固定される折板屋根用取付具において、底部２１に吊子１の幅方向に湾曲した吊子側湾曲状部２４を形成すると共に、挿通孔２５を吊子１の幅方向に長く形成してタイトフレーム２に吊子１を角度調整した状態で固定可能に構成したから、底部２１が吊子１の幅方向に湾曲し、挿通孔２５が吊子１の幅方向に長く形成されているため、雄螺子棒１７を挿入した状態で、挿通孔２５の範囲で吊子１を幅方向に動かすことにより、タイトフレーム２に対する吊子１の角度を調整することができ、調整した角度でナット１８を雄螺子棒１７に螺合して固定することができる。
【００３３】
このように本実施例では、請求項２に対応して、吊子支持部１４に、吊子側湾曲状部２４の湾曲方向に対応して湾曲したタイトフレーム側湾曲状部２８を形成したから、タイトフレーム側湾曲状部２８も吊子側湾曲状部２４と同一方向に湾曲しているため、湾曲状部２４，２８同士の接触面積が大きくなり、安定した固定状態が得られる。
【００３４】
このように本実施例では、請求項３に対応して、吊子側湾曲状部２４及びタイトフレーム側湾曲状部２８は、吊子１の幅方向中央側が凹んでいるから、両湾曲状部２４，２８は中央側が凹んだ湾曲状をなすため、逆の場合に比べて、ナット１８による締付力を保持できる。即ち、中央側が凸の湾曲状では、ナット１８の下面の中央側のみが底部２１又は補強側底板部３２の上面に接するのに対して、中央側が凹んだ湾曲状では、ナット１８の下面の前記湾曲方向外側が底部２１又は補強側底板部３２の上面に接するため締付力を保持できる。
【００３５】
このように本実施例では、請求項４に対応して、底部２１に重ねる吊子用補強部材３１を吊子１と別体で備え、吊子用補強部材３１は、底部２１上に重ね合わせる補強側底板部３２と、補強側底板部３２に設けられ、挿通孔２５に連通して雄螺子棒１７を挿通する補強側挿通孔３４と、立ち上り部２２に沿って立設する補強部３３とを一体に備え、補強側底板部３２は吊子側湾曲状部２４の湾曲方向に対応して湾曲し、補強部３３と補強側底板部３２とに連続して吊子用補強部材３１の幅方向両側にリブ部３５，３５を設け、これら両側のリブ部３５，３５の間隔はナット１８の座金部１９の外径より大きいから、吊子１の底部２１と立ち上り部２２との連結箇所を、吊子用補強部材３１により効果的に補強することができる。また、リブ部３５を設けた吊子用補強部材３１が吊子１と別体であるから、吊子１の角度を変えても、ナット１８の下部がリブ部３５に当たることなく、リブ部３５，３５間においてナット１８を雄螺子棒１７に螺合することができる。
【００３６】
即ち、補強部材３１を吊子１に一体に設け、補強部材３１に吊子１の幅方向に長い挿通孔（図示せず）を形成すると、補強部材３１が吊子１の幅方向に長くなり、さらに、吊子１の角度を変えると、リブ部３５，３５の一方が雄螺子棒１７に近付くから、ナット１８がリブ部３５に当たらないようにするには、不必要に補強部材を吊子の幅方向に長くする必要がある。
【００３７】
このように本実施例では、請求項５に対応して、底部２１の立ち上り部２２と反対側の縁部に、該立ち上り部２２と平行な立ち上り縁部２６を設け、それら立ち上り部２２と立ち上り縁部２６の間に、吊子用補強部材３１が吊子１の幅方向と交差方向に位置決め状態で遊嵌されるから、立ち上り縁部２６により吊子１の底部２１を補強することができると共に、雄螺子棒１７を挿通した状態で、吊子１を動かして角度を調整する際、吊子用補強部材３１が立ち上り部２２と立ち上り縁部２６との間に位置決めされ、吊子用補強部材３１が位置ずれすることがなく、作業が容易となる。
【００３８】
また、実施例上の効果として、横方向の吊子支持部１４に吊子１を固定することにより、一側傾斜部１２の長さを確保し、タイトフレーム２に屋根材４を沿わせることができる。
【実施例２】
【００３９】
図８は本発明の実施例２を示し、上記実施例１と同一部分に同一符号を付し、その説明を省略して詳述すると、この例では、吊子支持部１４を平坦に形成したものを示し、請求項１に対応して、上記実施例１と同様な作用・効果を奏し、この例では、タイトフレーム側湾曲状部２８がないため、タイトフレーム２の加工が容易となる。
【実施例３】
【００４０】
図９は本発明の実施例３を示し、上記各実施例と同一部分に同一符号を付し、その説明を省略して詳述すると、この例では、吊子状湾曲状部２４Ａ及び補強部材３１は吊子１の幅方向の中央側が凸に湾曲しており、これに対応して、タイトフレーム側湾曲状部２８Ａも吊子１の幅方向の中央側が凸に湾曲している。
【００４１】
このように本実施例では、請求項１及び２に対応して、上記各実施例と同様な作用・効果を奏する。
【００４２】
尚、本考案は、本実施例に限定されるものではなく、本考案の要旨の範囲内で種々の変形実施が可能である。例えば、吊子は各種タイプのものを用いることができる。また、上，下ハゼ部及び吊子のハゼ部の形状は適宜可能である。
【符号の説明】
【００４３】
１  吊子
２  タイトフレーム
４  折板屋根材
１４  吊子支持部
１７  雄螺子棒
１８  ナット
１９  座金部
２１  底部
２２  立ち上り部
２３  ハゼ部
２４  吊子側湾曲状部
２５  挿通孔
２６  立ち上り縁部
２８  タイトフレーム側湾曲状部
３１  吊子用補強部材
３２  補強側底板部
３３  補強部
３４  補強側挿通孔
３５  リブ部
４５  下ハゼ部
４９  上ハゼ部
【図１】
0003214851.tif 000003
【図２】
0003214851.tif 000004
【図３】
0003214851.tif 000005
【図４】
0003214851.tif 000006
【図５】
0003214851.tif 000007
【図６】
0003214851.tif 000008
【図７】
0003214851.tif 000009
【図８】
0003214851.tif 000010
【図９】
0003214851.tif 000011